(57)【要約】【課題】ハイブリッド車両において、変速比モードの切り替えビジーの発生を低減すると共に、燃費を向上させる。【解決手段】ハイブリッド車両（１０）の制御装置（１００）は、目標駆動トルク及び駆動軸回転数に応じて変速比モードの切り替えを制御する制御手段（１１０）を備え、制御手段は、変速比モードの無段変速比モードから固定変速比モードへの切り替え、及び、変速比モードの固定変速比モードから無段変速比モードへの切り替えのうちいずれか一方の切り替えを車速に応じて選択し、該選択した一方の切り替えの際には、変速比モードの切り替えを所定時間禁止して、切り替え前の変速比モードを継続させる。【選択図】図６
2010254131.tif 000002
【特許請求の範囲】
【請求項１】
内燃機関及びモータジェネレータを駆動源として備え、変速比モードを無段変速比モード及び固定変速比モード間で切り替え可能に構成されたハイブリッド車両を制御するハイブリッド車両の制御装置であって、
目標駆動トルク及び駆動軸回転数に応じて前記変速比モードの切り替えを制御する制御手段を備え、
前記制御手段は、前記変速比モードの前記無段変速比モードから前記固定変速比モードへの切り替え、及び、前記変速比モードの前記固定変速比モードから前記無段変速比モードへの切り替えのうちいずれか一方の切り替えを車速に応じて選択し、該選択した一方の切り替えの際には、前記変速比モードの切り替えを所定時間禁止して、切り替え前の変速比モードを継続させる
ことを特徴とするハイブリッド車両の制御装置。
【請求項２】
前記制御手段は、前記車速が高車速である場合には、前記変速比モードの前記固定変速比モードから前記無段変速比モードへの切り替えの際に、前記変速比モードの切り替えを前記所定時間禁止して、前記切り替え前の変速比モードである前記固定変速比モードを継続させる請求項１に記載のハイブリッド車両の制御装置。
【請求項３】
前記変速比モードの切り替えビジーが発生するか否かを判定する判定手段を更に備え、
前記制御手段は、前記車速が高車速である場合において、前記判定手段によって前記切り替えビジーが発生すると判定されたときには、前記変速比モードの前記固定変速比モードから前記無段変速比モードへの切り替えの際に、前記変速比モードの切り替えを前記所定時間禁止して、前記切り替え前の変速比モードである前記固定変速比モードを継続させる請求項１又は２に記載のハイブリッド車両の制御装置。
【請求項４】
前記制御手段は、前記車速が低車速である場合には、前記変速比モードの前記無段変速比モードから前記固定変速比モードへの切り替えの際に、前記変速比モードの切り替えを前記所定時間禁止して、前記切り替え前の変速比モードである前記無段変速比モードを継続させる請求項１から３のいずれか一項に記載のハイブリッド車両の制御装置。
【請求項５】
前記変速比モードの切り替えビジーが発生するか否かを判定する判定手段を更に備え、
前記制御手段は、前記車速が低車速である場合において、前記判定手段によって前記切り替えビジーが発生すると判定されたときには、前記変速比モードの切り替えを前記所定時間禁止して、前記切り替え前の変速比モードである前記無段変速比モードを継続させる
請求項１から３のいずれか一項に記載のハイブリッド車両の制御装置。
【請求項６】
前記制御手段は、前記ハイブリッド車両が高速道路を走行中であることを検出した場合には、前記車速が前記高車速であると判定する請求項２又は３に記載のハイブリッド車両の制御装置。
【請求項７】
前記ハイブリッド車両は、
相互に差動回転可能に構成された、前記内燃機関の出力軸に連結される第１回転要素、前記モータジェネレータの回転軸に連結される第２回転要素、及び駆動輪に連結された駆動軸に連結される第３回転要素を有する動力分割機構と、
前記モータジェネレータの回転軸に連結された第１係合要素及び該第１係合要素に係合可能な第２係合要素を有し、前記第１及び第２係合要素が互いに係合することにより、前記第１モータジェネレータの回転軸を停止した状態で固定可能なロック機構と
を更に備え、
前記制御手段は、前記変速比モードの前記無段変速比モードから前記固定変速比モードへの切り替えの際には、前記第１及び第２係合要素が、互いに係合されない解放状態から互いに係合された合状態に切り替わるように、前記ロック機構を制御する
請求項１から６のいずれか一項に記載のハイブリッド車両の制御装置。
【発明の詳細な説明】
【技術分野】
【０００１】
本発明は、ハイブリッド車両の制御装置の技術分野に関する。
【背景技術】
【０００２】
この種のハイブリッド車両として、内燃機関及びモータジェネレータを駆動源として備え、変速比モードを無段変速比モード及び固定変速比モード間で切り替え可能に構成されたものが知られている（例えば特許文献１から３参照）。無段変速比モードは、モータジェネレータの回転数を連続的に変化させることにより内燃機関の機関回転数を連続的に変化させる変速比モードであり、固定変速比モードは、内燃機関の機関回転数が、駆動軸（或いは駆動輪）の回転数により一義的に決定される（即ち、変速比が一定となる）変速比モードである。
【０００３】
このようなハイブリッド車両では、変速比モードの切り替えが頻繁になされる切り替えビジー（或いは「ビジーシフト」又は「ビジー変速」）が発生する場合がある。切り替えビジーが発生すると、例えば、変速比モードの切り替えに伴う内燃機関の機関回転数の変動により運転者に違和感を与えてしまうおそれがある。
【０００４】
例えば特許文献１では、変速比モードが無段変速比モード及び固定変速比モード間で切り替わるモード遷移の発生が検出されたときに、遷移前の変速比モードを所定時間保持することで、切り替えビジー（モードチャッタリング）を防止する技術が開示されている。
【先行技術文献】
【特許文献】
【０００５】
【特許文献１】特開２００６−２５４８３号公報
【特許文献２】特開２００６−３００２７４号公報
【特許文献３】特開２００５−１６５７０号公報
【発明の概要】
【発明が解決しようとする課題】
【０００６】
しかしながら、例えば特許文献１に開示された技術では、遷移前の変速比モードを所定時間保持するので、車速によっては、燃費（単位燃料消費量当たりの走行距離）が悪化してしまうおそれがあるという技術的問題点がある。例えば、変速比モードを固定変速比モードから無段変速比モードに切り替える際に固定変速比モードを所定時間継続させた場合には、車速が低いほど、燃料消費量が増大してしまうおそれがある。
【０００７】
本発明は、例えば上述した問題点に鑑みなされたものであり、変速比モードの切り替えビジーの発生を低減すると共に、燃費を向上させることが可能なハイブリッド車両の制御装置を提供することを課題とする。
【課題を解決するための手段】
【０００８】
本発明に係るハイブリッド車両の制御装置は上記課題を解決するために、内燃機関及びモータジェネレータを駆動源として備え、変速比モードを無段変速比モード及び固定変速比モード間で切り替え可能に構成されたハイブリッド車両を制御するハイブリッド車両の制御装置であって、目標駆動トルク及び駆動軸回転数に応じて前記変速比モードの切り替えを制御する制御手段を備え、前記制御手段は、前記変速比モードの前記無段変速比モードから前記固定変速比モードへの切り替え、及び、前記変速比モードの前記固定変速比モードから前記無段変速比モードへの切り替えのうちいずれか一方の切り替えを車速に応じて選択し、該選択した一方の切り替えの際には、前記変速比モードの切り替えを所定時間禁止して、切り替え前の変速比モードを継続させる。
【０００９】
本発明に係るハイブリッド車両の制御装置によれば、その制御対象となるハイブリッド車両は、内燃機関及びモータジェネレータを駆動源として備え、変速比モードを無段変速比モード及び固定変速比モード間で切り替え可能に構成されている。ここで、無段変速比モードは、モータジェネレータの回転数を連続的に変化させることにより内燃機関の機関回転数を連続的に変化させる変速比モードであり、固定変速比モードは、内燃機関の機関回転数が、駆動軸（或いは駆動輪）の回転数により一義的に決定される（即ち、変速比が一定となる）変速比モードである。ハイブリッド車両は、内燃機関及びモータジェネレータに加えて、例えば、相互に差動回転可能に構成された、内燃機関の出力軸に連結される第１回転要素、モータジェネレータの回転軸に連結される第２回転要素、及び駆動輪に連結された駆動軸に連結される第３回転要素を有する動力分割機構と、モータジェネレータの回転軸に連結された第１係合要素及び該第１係合要素に係合可能な第２係合要素を有し、第１及び第２係合要素が互いに係合することにより、モータジェネレータの回転軸を停止した状態で固定（或いはロック）可能なロック機構とを更に備えている。ロック機構が解放状態（即ち、第１及び第２係合要素が互いに係合しない状態）である場合には、無段変速比モードを実現可能であり、ロック機構が係合状態（（即ち、第１及び第２係合要素が互いに係合した状態））である場合には、固定変速比モードを実現可能である。
【００１０】
本発明では、制御手段は、目標駆動トルク及び駆動軸回転数（或いは車速）に応じて変速比モードの切り替えを制御する。具体的には、例えば、制御手段は、目標駆動トルクと駆動軸回転数とによって規定され、無段変速比モード領域及び固定変速比モード領域が設定されたマップ上において、基本的には、現在の運転動作点の位置に応じて、変速比モードの切り替えを制御する。無段変速比モード領域は、変速比モードを無段変速比モードとすべき領域として予め設定された領域であり、固定変速比モード領域は、変速比モードを固定変速比モードとすべき領域として予め設定された領域である。例えば、制御手段は、変速比モードが無段変速比モードで運転中に、マップ上における現在の運転動作点が固定変速比モード領域に位置するようになった場合には、変速比モードを無段変速比モードから固定変速比モードへ切り替える。また、制御手段は、変速比モードが固定変速比モードで運転中に、マップ上における現在の運転動作点が無段変速比モード領域に位置するようになった場合には、変速比モードを固定変速比モードから無段変速比モードへ切り替える。
【００１１】
本発明では特に、制御手段は、変速比モードの無段変速比モードから固定変速比モードへの切り替え、及び、変速比モードの固定変速比モードから無段変速比モードへの切り替えのうちいずれか一方の切り替えを車速に応じて選択し、該選択した一方の切り替えの際には、変速比モードの切り替えを所定時間禁止して、切り替え前の変速比モードを継続させる。例えば、制御手段は、車速が高車速（即ち、例えば時速８０ｋｍ等の所定の基準速度よりも高速な車速）である場合には、変速比モードの固定変速比モードから無段変速比モードへの切り替えを一方の切り替えとして選択し、車速が低車速（即ち、例えば時速８０ｋｍ等の所定の基準速度以下の低速な車速）である場合には、変速比モードの無段変速比モードから固定変速比モードへの切り替えを一方の切り替えとして選択する。
【００１２】
具体的には、車速が高車速である場合には、制御手段は、変速比モードの固定変速比モードから無段変速比モードへの切り替えの際に、変速比モードの切り替えを所定時間（例えば５秒間）禁止して、切り替え前の変速比モードである固定変速比モードを継続させる。即ち、制御手段は、車速が高車速であって、変速比モードが固定変速比モードで運転中に、上述したマップ上において現在の運転動作点が無段変速比モード領域に位置することを検出した場合、この検出した時点から、現在の運転動作点が所定時間継続的に無段変速比モード領域に位置するときに、変速比モードを固定変速比モードから無段変速比モードへ切り替える、言い換えれば、現在の運転動作点が無段変速比モード領域に位置することを検出した時点から所定時間中に、現在の運転動作点が無段変速比モード領域から固定変速比モード領域に移動する場合には、変速比モードの固定変速比モードから無段変速比モードへの切り替えを禁止して（即ち、変速比モードを切り替えず）、変速比モードを固定変速比モードのままとする。
【００１３】
一方、車速が低車速である場合には、制御手段は、変速比モードの無段変速比モードから固定変速比モードへの切り替えの際に、変速比モードの切り替えを所定時間（例えば５秒間）禁止して、切り替え前の変速比モードである無段変速比モードを継続させる。即ち、制御手段は、車速が低車速であって、変速比モードが無段変速比モードで運転中に、上述したマップ上において現在の運転動作点が固定変速比モード領域に位置することを検出した場合、この検出した時点から、現在の運転動作点が所定時間継続的に固定変速比モード領域に位置するときに、変速比モードを無段変速比モードから固定変速比モードへ切り替える、言い換えれば、現在の運転動作点が固定変速比モード領域に位置することを検出した時点から所定時間中に、現在の運転動作点が固定変速比モード領域から無段変速比モード領域に移動する場合には、変速比モードの無段変速比モードから固定変速比モードへの切り替えを禁止して（即ち、変速比モードを切り替えず）、変速比モードを無段変速比モードのままとする。
【００１４】
よって、変速比モードの切り替えが頻繁になされる切り替えビジー（或いは「ビジーシフト」又は「ビジー変速」）の発生を低減或いは防止できる。更に、車速に応じて選択した一方の切り替えの際に、変速比モードの切り替えを所定時間禁止するので、仮に例えば車速によらず、変速比モードの切り替えの全てにおいて（即ち、変速比モードの固定変速比モードから無段変速比モードへの切り替え及び変速比モードの無段変速比モードから固定変速比モードへの切り替えの両方において）一律に、変速比モードの切り替えを所定時間禁止する場合と比較して、燃費を向上させることができる。
【００１５】
以上説明したように、本発明に係るハイブリッド車両の制御装置によれば、変速比モードの切り替えビジーの発生を低減すると共に、燃費を向上させることが可能となる。
【００１６】
本発明に係るハイブリッド車両の制御装置の一態様では、前記制御手段は、前記車速が高車速である場合には、前記変速比モードの前記固定変速比モードから前記無段変速比モードへの切り替えの際に、前記変速比モードの切り替えを前記所定時間禁止して、前記切り替え前の変速比モードである前記固定変速比モードを継続させる。
【００１７】
この態様によれば、車速が高車速である場合に、変速比モードが固定変速比モードから無段変速比モードへ無駄に切り替わることを低減或いは防止でき、変速比モードを固定変速比モードに保持する時間を長くすることができる。よって、燃費を向上させることができる。
【００１８】
本発明に係るハイブリッド車両の制御装置の他の態様では、前記変速比モードの切り替えビジーが発生するか否かを判定する判定手段を更に備え、前記制御手段は、前記車速が高車速である場合において、前記判定手段によって前記切り替えビジーが発生すると判定されたときには、前記変速比モードの前記固定変速比モードから前記無段変速比モードへの切り替えの際に、前記変速比モードの切り替えを前記所定時間禁止して、前記切り替え前の変速比モードである前記固定変速比モードを継続させる。
【００１９】
この態様によれば、判定手段は、変速比モードの切り替えビジーが発生するか否かを判定する。ここで、切り替えビジーは、変速比モードの切り替えが頻繁になされる現象であり、例えば、目標駆動トルク或いは駆動軸回転数が頻繁に変動することにより発生する。判定手段は、例えば、直前の一定期間（例えば６０秒）内に変速比モードの切り替えが所定回数（例えば４回）以上発生している場合には、切り替えビジーが発生すると判定する。制御手段は、車速が高車速である場合において、判定手段によって切り替えビジーが発生すると判定されたときには、変速比モードの切り替えを所定時間禁止して、切り替え前の変速比モードである固定変速比モードを継続させる。よって、変速比モードの切り替えビジーの発生をより確実に低減すると共に、燃費を向上させることが可能となる。
【００２０】
本発明に係るハイブリッド車両の制御装置の他の態様では、前記制御手段は、前記車速が低車速である場合には、前記変速比モードの前記無段変速比モードから前記固定変速比モードへの切り替えの際に、前記変速比モードの切り替えを前記所定時間禁止して、前記切り替え前の変速比モードである前記無段変速比モードを継続させる。
【００２１】
この態様によれば、車速が低車速である場合に、変速比モードが無段変速比モードから固定変速比モードへ無駄に切り替わることを低減或いは防止でき、変速比モードを無段変速比モードに保持する時間を長くすることができる。よって、ドライバビリティを向上させることができる。
【００２２】
本発明に係るハイブリッド車両の制御装置の他の態様では、前記変速比モードの切り替えビジーが発生するか否かを判定する判定手段を更に備え、前記制御手段は、前記車速が低車速である場合において、前記判定手段によって前記切り替えビジーが発生すると判定されたときには、前記変速比モードの切り替えを前記所定時間禁止して、前記切り替え前の変速比モードである前記無段変速比モードを継続させる。
【００２３】
この態様によれば、変速比モードの切り替えビジーの発生をより確実に低減すると共に、ドライバビリティを向上させることが可能となる。
【００２４】
上述した、車速が高車速である場合に固定変速比モードを継続させる態様では、前記制御手段は、前記ハイブリッド車両が高速道路を走行中であることを検出した場合には、前記車速が前記高車速であると判定してもよい。
【００２５】
この場合には、車速が高車速であるか否かを容易に判定することができる。尚、高速道路とは、車両（自動車）が高車速で走行するための車両（自動車）専用道路である。
【００２６】
本発明に係るハイブリッド車両の制御装置の他の態様では、前記ハイブリッド車両は、相互に差動回転可能に構成された、前記内燃機関の出力軸に連結される第１回転要素、前記モータジェネレータの回転軸に連結される第２回転要素、及び駆動輪に連結された駆動軸に連結される第３回転要素を有する動力分割機構と、前記モータジェネレータの回転軸に連結された第１係合要素及び該第１係合要素に係合可能な第２係合要素を有し、前記第１及び第２係合要素が互いに係合することにより、前記第１モータジェネレータの回転軸を停止した状態で固定可能なロック機構とを更に備え、前記制御手段は、前記変速比モードの前記無段変速比モードから前記固定変速比モードへの切り替えの際には、前記第１及び第２係合要素が、互いに係合されない解放状態から互いに係合された合状態に切り替わるように、前記ロック機構を制御する。
【００２７】
この態様によれば、制御手段によって、ロック機構を制御することにより、変速比モードを切り替えることができる。
【００２８】
本発明の作用及び他の利得は次に説明する発明を実施するための形態から明らかにされる。
【図面の簡単な説明】
【００２９】
【図１】第１実施形態に係るハイブリッド車両の制御装置の構成を概念的に示すブロック図である。
【図２】ロック機構の構成を概念的に示す模式図である。
【図３】目標駆動トルク及び駆動軸回転数によって規定される運転領域を示すマップである。
【図４】エンジントルク及びエンジン回転数によって定まるエンジン動作点の、変速比モードの切り替えによる移動を説明するための説明図である。
【図５】第１実施形態に係るハイブリッド車両の制御装置による変速比モードの切り替えの制御の流れを示すフローチャートである。
【図６】車速が高車速である場合（自動車専用道路を走行中の場合）における変速比モードの切り替えの制御を説明するための説明図である。
【図７】車速が低車速である場合（一般道を走行中の場合）における変速比モードの切り替えの制御を説明するための説明図である。
【発明を実施するための形態】
【００３０】
以下では、本発明の実施形態について図を参照しつつ説明する。
【００３１】
＜第１実施形態＞
第１実施形態に係るハイブリッド車両の制御装置の構成について、図１を参照して説明する。
【００３２】
図１は、第１実施形態に係るハイブリッド車両の制御装置の構成を概念的に示すブロック図である。
【００３３】
図１において、本実施形態に係るハイブリッド車両１０は、エンジン２００、第１モータジェネレータＭＧ１（以下、適宜「ＭＧ１」と略称する）、第２モータジェネレータＭＧ２（以下、適宜「ＭＧ２」と略称する）、駆動軸５０、動力分割機構３００、ロック機構４００、ＰＣＵ（Power Control Unit）５００、バッテリ６００、減速機１１、車軸１２、駆動輪１３、アクセル開度センサ１４及びＥＣＵ１００を備えている。
【００３４】
エンジン２００は、本発明に係る「内燃機関」の一例たるガソリンエンジンであり、ハイブリッド車両１０の主たる動力源として機能するように構成されている。エンジン２００の出力軸であるクランクシャフト２１０は、後述する動力分割機構３００のキャリア３０４に連結されている。尚、本発明における「内燃機関」とは、例えば２サイクル又は４サイクルレシプロエンジン等を含み、少なくとも一の気筒を有し、当該気筒内部の燃焼室において、例えばガソリン、軽油或いはアルコール等の各種燃料を含む混合気が燃焼した際に発生する力を、例えばピストン、コネクティングロッド及びクランクシャフト等の物理的又は機械的な伝達手段を適宜介して動力として取り出すことが可能に構成された機関を包括する概念である。
【００３５】
第１モータジェネレータＭＧ１は、電動発電機であり、エンジン２００からトルクの供給を受けてその回転軸が回転することにより、バッテリ６００を充電するための、或いは第２モータジェネレータＭＧ２に電力を供給するための発電を主として行うことが可能に構成されている。尚、第１モータジェネレータＭＧ１は、本発明に係る「モータジェネレータ」の一例である。
【００３６】
第２モータジェネレータＭＧ２は、電動発電機であり、エンジン２００の動力を補助（即ち、アシスト）する電動機として、或いはバッテリ６００を充電するための発電機として機能するように構成されている。より具体的には、第２モータジェネレータＭＧ２は、駆動力或いは制動力をアシストする装置であり、駆動力をアシストする場合には、第１モータジェネレータＭＧ１及びバッテリ６００の少なくとも一方から電力が供給されて電動機として機能し、制動力をアシストする場合には、ハイブリッド車両１０の駆動輪１３側から伝達されるトルクによって回転させられて電力を発電する発電機として機能するように構成されている。第２モータジェネレータＭＧ２は、駆動軸５０に対し動力を供給することが可能となるように、その回転軸が駆動軸５０に連結されている。
【００３７】
駆動軸５０は、ハイブリッド車両１０の駆動輪（或いは車輪）である駆動輪１３に連結される車軸１２に、デファレンシャル等の各種減速ギア装置を含む減速機１１を介して連結されている。
【００３８】
動力分割機構３００は、遊星歯車機構を含んでおり、エンジン２００の動力を第１モータジェネレータＭＧ１の回転軸及び駆動軸５０に分割或いは分配することが可能に構成されている。より具体的には、動力分割機構３００は、外歯歯車のサンギア３０１と、サンギア３０１と同心円上に配置された内歯歯車のリングギア３０２と、サンギア３０１及びリングギア３０２に噛合するピニオンギア３０３と、ピニオンギア３０３を自転且つ公転自在に保持するキャリア３０４とを備えており、サンギア３０１、リングギア３０２及びキャリア３０４が３つの回転要素として相互に差動作用を生じるように構成されている。キャリア３０４には、エンジン２００の出力軸であるクランクシャフト２１０が連結されている。サンギア３０１には、第１モータジェネレータＭＧ１の回転軸が連結されている。リングギア３０２には、駆動軸５０が連結されている。動力分割機構３００は、キャリア３０４から入力されるエンジン２００からの動力を、サンギア３０１側（即ち、第１モータジェネレータＭＧ１側）とリングギア３０２側（即ち、駆動軸５０側）とにそのギア比に応じて分配する。尚、キャリア３０４は、本発明に係る「第１回転要素」の一例であり、サンギア３０１は、本発明に係る「第２回転要素」の一例であり、リングギア３０２は、本発明に係る「第３回転要素」の一例である。
【００３９】
ロック機構４００は、例えばドグクラッチ或いは湿式多板クラッチ等から構成され、第１モータジェネレータＭＧ１の回転軸を停止した状態で機械的に固定すること（即ち、第１モータジェネレータＭＧ１をロックすること）が可能に構成されている。
【００４０】
図２は、ロック機構４００の構成を概念的に示す模式図である。
【００４１】
図２において、ロック機構４００は、係合部４１０及びアクチュエータ４２０を有している。係合部４１０は、第１モータジェネレータＭＧ１の回転軸ＭＧ１ｓに連結された第１係合部材４１１と、この第１係合部材４１１に係合可能な第２係合部材４１２とを含んでなる。第２係合部材４１２は、固定部材であるケース４３０に固定されている。第１係合部材４１１及び第２係合部材４１２は、例えば一対のドグ歯或いはクラッチ板等として構成される。アクチュエータ４２０は、第１係合部材４１１を駆動可能に構成された電磁アクチュエータであり、ＥＣＵ１００の制御下で、第１係合部材４１１及び第２係合部材４１２を互いに係合させることが可能に構成されている。尚、第１係合部材４１１は、本発明に係る「第１係合要素」の一例であり、第２係合部材４１２は、本発明に係る「第２係合要素」の一例である。
【００４２】
図１及び図２において、ロック機構４００における第１係合部材４１１及び第２係合部材４１２が互いに係合することにより（即ち、ロック機構４００が係合状態となることにより）、第１モータジェネレータＭＧ１の回転軸ＭＧ１ｓは停止した状態で固定される（即ち、第１モータジェネレータＭＧ１がロック状態となる）。よって、ロック機構４００が係合状態である（言い換えれば、第１モータジェネレータＭＧ１がロック状態である）場合には、第１モータジェネレータＭＧ１の回転数は「０（ゼロ）」となる。一方、ロック機構４００における第１係合部材４１１及び第２係合部材４１２が互いに係合しないことにより（即ち、ロック機構４００が解放状態となることにより）、第１モータジェネレータＭＧ１の回転軸ＭＧ１ｓは回転可能な状態となる（即ち、第１モータジェネレータＭＧ１が非ロック状態となる）。ロック機構４００は、ハイブリッド車両１０の変速比モードを無段変速比モードと固定変速比モードとの間で切り替えるために用いられる。ロック機構４００が解放状態である場合には、第１モータジェネレータＭＧ１の回転数を連続的に変化させることによりエンジン２００のエンジン回転数を連続的に変化させる無段変速比モードを実現可能であり、ロック機構４００が係合状態である場合には、エンジン２００のエンジン回転数が、駆動軸５０（或いは駆動輪１３）の回転数により一義的に決定される（即ち、変速比が一定となる）固定変速比モードを実現可能である。尚、駆動軸５０には、上述したように第２モータジェネレータＭＧ２の回転軸が連結されているので、固定変速比モードでは、エンジン２００のエンジン回転数は、第２モータジェネレータＭＧ２の回転数により一義的に決定される。
【００４３】
図１において、ＰＣＵ５００は、バッテリ６００から取り出した直流電力を交流電流に変換して第１モータジェネレータＭＧ１及び第２モータジェネレータＭＧ２に供給すると共に、第１モータジェネレータＭＧ１及び第２モータジェネレータＭＧ２によって発電された交流電力を直流電力に変換してバッテリ６００に供給することが可能に構成されたインバータ等を含み、バッテリ６００と各モータジェネレータとの間の電力の入出力を個別に制御することが可能に構成された制御ユニットである。ＰＣＵ５００は、ＥＣＵ１００と電気的に接続されており、ＥＣＵ１００によってその動作が制御される構成となっている。
【００４４】
バッテリ６００は、第１モータジェネレータＭＧ１及び第２モータジェネレータＭＧ２に電力を供給する電力供給源として機能することが可能に構成された充電可能な蓄電池である。
【００４５】
アクセル開度センサ１４は、ハイブリッド車両１０のアクセルペダル（不図示）の操作量たるアクセル開度を検出することが可能に構成されたセンサである。アクセル開度センサ１４は、ＥＣＵ１００と電気的に接続されており、検出されたアクセル開度は、ＥＣＵ１００によって一定又は不定の周期で把握される構成となっている。
【００４６】
ＥＣＵ１００は、ＣＰＵ（Central Processing Unit）、ＲＯＭ（Read Only Memory）及びＲＡＭ（Random Access Memory）等を備え、ハイブリッド車両１０の動作全体を制御することが可能に構成された電子制御ユニットであり、本発明に係る「ハイブリッド車両の制御装置」の一例である。
【００４７】
本実施形態では特に、ＥＣＵ１００は、変速比モード制御部１１０及びビジーシフト判定部１２０を備えている。
【００４８】
変速比モード制御部１１０は、本発明に係る「制御手段」の一例であり、アクセル開度センサ１４によって検出されたアクセル開度に応じて定められる目標駆動トルク及び駆動軸５０の回転数である駆動軸回転数に応じて、変速比モードの切り替えを制御することが可能に構成されている。
【００４９】
図３は、目標駆動トルク及び駆動軸回転数によって規定される運転領域を示すマップである。図３では、横軸に駆動軸回転数を示し、縦軸に目標駆動トルクを示している。尚、図２に示すマップは、エンジン２００が定常燃焼状態にある場合に出力すると予め推定された出力トルクに基づいて予め作成されている。
【００５０】
変速比モード制御部１１０は、図３に示すマップ上において、基本的には、目標駆動トルク及び駆動軸回転数によって定まる点である運転動作点が、どの位置にくるかによって、変速比モードを「無段変速比モード」及び「固定変速比モード」のいずれにするかを決定する。即ち、変速比モード制御部１１０は、図３に示すマップ上において、基本的には、現在の運転動作点の位置に応じて、変速比モードの切り替えを制御する。
【００５１】
図３に示すように、このマップには、ＭＧ１ロック領域Ｒ１、電気ＣＶＴ（Continuously Variable Transmission）領域Ｑ１、Ｑ２及びＱ３が設定されている。
【００５２】
ＭＧ１ロック領域Ｒ１は、変速比モードを固定変速比モードとすべき固定変速比モード領域（言い換えれば、第１モータジェネレータＭＧ１がロック状態となるようにロック機構４００を制御すべき領域）として予め設定された領域である。ＭＧ１ロック領域Ｒ１は、駆動軸回転数が下限回転数Ｎｒｍin以上、且つ、目標駆動軸トルクがトルク上限値ＭＢＬ以下且つ燃費最適境界線Ｌ１で規定されるトルク値以上の領域として設定されている。
【００５３】
電気ＣＶＴ領域Ｑ１、Ｑ２及びＱ３は、変速比モードを無段変速比モードとすべき無段変速比モード領域（言い換えれば、第１モータジェネレータＭＧ１が非ロック状態となるようにロック機構４００を制御すべき領域）として予め設定された領域である。電気ＣＶＴ領域Ｑ１は、駆動軸回転数が下限回転数Ｎｒｍin以上、且つ、目標駆動軸トルクが燃費最適境界線Ｌ１で規定されるトルク値以上の領域として設定されている。電気ＣＶＴ領域Ｑ２は、駆動軸回転数が下限回転数Ｎｒｍinより小さい領域として設定されている。電気ＣＶＴ領域Ｑ３は、駆動軸回転数が下限回転数Ｎｒｍin以上、且つ、目標駆動軸トルクがトルク上限値ＭＢＬより大きい領域として設定されている。尚、ここでは、図３に示すマップ上に設定された電気ＣＶＴ領域を、説明の便宜上、電気ＣＶＴ領域Ｑ１、Ｑ２及びＱ３の３つの領域に分けて説明するが、図３に示すマップ上におけるＭＧ１ロック領域Ｒ１を除く領域が電気ＣＶＴ領域として設定されているということもできる。
【００５４】
変速比モード制御部１１０は、変速比モードが無段変速比モードで運転中（即ち、第１モータジェネレータＭＧ１が非ロック状態で運転中）に、図３に示すマップ上における現在の運転動作点がＭＧ１ロック領域Ｒ１に位置するようになった場合には、変速比モードを無段変速比モードから固定変速比モードへ切り替える、具体的には、第１モータジェネレータＭＧ１がロックされるように、ロック機構４００を制御する。また、変速比モード制御部１１０は、変速比モードが固定変速比モードで運転中（即ち、第１モータジェネレータＭＧ１がロック状態で運転中）に、図３に示すマップ上における現在の運転動作点が電気ＣＶＴ領域Ｑ１、Ｑ２又はＱ３に位置するようになった場合には、変速比モードを固定変速比モードから無段変速比モードへ切り替える、具体的には、第１モータジェネレータＭＧ１がロックされないように、ロック機構４００を制御する。
【００５５】
ここで、仮に、何らの対策も施さずに、図３に示すマップ上における現在の運転動作点の位置に応じて変速比モードの切り替えを行う場合、例えば、アクセル開度の変動に応じた目標駆動トルクの変動に伴って、ＭＧ１ロック領域Ｒ１と電気ＣＶＴ領域Ｑ１との境界付近（即ち、燃費最適境界線Ｌ１付近）において現在の運転動作点が例えば矢印Ａ１で示すように変動することにより、変速比モードの切り替えが頻繁になされるビジーシフト（即ち、切り替えビジー）が発生するおそれがある。
【００５６】
図４は、エンジントルク及びエンジン回転数によって定まるエンジン２００の動作点（以下、「エンジン動作点」と称する）の、変速比モードの切り替えによる移動を説明するための説明図である。図４では、横軸にエンジントルクを示し、縦軸にエンジン回転数を示している。
【００５７】
図４には、無段変速比モードでの動作線Ｌｃと、固定変速比モードでの動作線Ｌｓと、等パワー線Ｌｅとが示されている。変速比モードが無段変速比モードである場合には、エンジン動作点は動作線Ｌｃ上を移動し、変速比モードが固定変速比モードである場合には、エンジン動作点は動作線Ｌｓ上を移動する。等パワー線Ｌｅは、エンジン２００から出力されるエンジン出力或いはパワー（即ち、エンジントルクとエンジン回転数との積）が一定となるように規定されている。例えば、変速比モードを固定変速比モードから無段変速比モードへ切り替える際には、エンジン動作点が点Ｐ２から等パワー線Ｌｅ上に沿って点Ｐ１へ移動するように、ＥＣＵ１００は、エンジン２００を制御する。このようにエンジン動作点が等パワー線Ｌｅに沿って移動するように、エンジン２００を制御することにより、変速比モードの切り替えの前後でエンジン出力を等しくすることができる。ここで、例えば、変速比モードを固定変速比モードから無段変速比モードへ切り替えることで、エンジン動作点が点Ｐ２から点Ｐ１へ移動すると、エンジン回転数の変動ΔＮｅ（即ち、点Ｐ２でのエンジン回転数Ｎｅ２と点Ｐ１でのエンジン回転数Ｎｅ１との差）が生じる。よって、上述したようなビジーシフトが発生して、変速比モードの切り替えが頻繁になされると、エンジン回転数が頻繁に変動してしまうため、このエンジン回転数の変動により運転者に違和感を与えてしまうおそれがある。
【００５８】
そこで、本実施形態では、変速比モードの切り替えを後述するように制御することにより、ビジーシフトの発生の低減を図っている。尚、変速比モードの切り替えの制御については、後に図５から図７を参照して詳細に説明するが、本実施形態では特に、ハイブリッド車両１０の車速に応じて選択した変速比モードの切り替えの際、変速比モードの切り替えを時間ヒステリシスとしての設定される所定時間禁止する。
【００５９】
図１において、ビジーシフト判定部１２０は、本発明に係る「判定手段」の一例であり、変速比モードのビジーシフトが発生するか否かを判定することが可能に構成されている。具体的には、例えば、ビジーシフト判定部１２０は、直前の一定期間（例えば６０秒）内に変速比モードの切り替えが所定回数（例えば４回）以上発生している場合には、ビジーシフトが発生すると判定する。或いは、例えば、ビジーシフト判定部１２０は、ハイブリッド車両１０が走行する進路上の渋滞情報や交差点の信号情報に基づいて車速（言い換えれば、駆動軸回転数）の変動を予測或いは推定することにより、ビジーシフトが発生するか否かを判定する。或いは、例えば、ビジーシフト判定部１２０は、ハイブリッド車両１０に搭載されたカーナビゲーションシステムからの進路におけるカーブや登降坂などの地形情報に基づいて加速や減速を予測或いは推定することにより、ビジーシフトが発生するか否かを判定する。或いは、例えば、ビジーシフト判定部１２０は、当該ハイブリッド車両１０とその前方を走行中の前方走行車両との間の車間距離に基づいて加速や減速を予測或いは推定することにより、ビジーシフトが発生するか否かを判定する。或いは、例えば、ビジーシフト判定部１２０は、毎日定期的に走行する経路を、車速や時刻から特定し、過去にビジーシフトが発生した地点を記憶しておき、この過去にビジーシフトが発生した地点を走行する際にビジーシフトが発生すると判定する。
【００６０】
次に、本実施形態に係るハイブリッド車両の制御装置による変速比モードの切り替えの制御について、図１に加えて図５から図７を参照して説明する。
【００６１】
図５は、本実施形態に係るハイブリッド車両の制御装置による変速比モードの切り替えの制御の流れを示すフローチャートである。図６は、車速が高車速である場合（自動車専用道路を走行中の場合）における変速比モードの切り替えの制御を説明するための説明図である。図７は、車速が低車速である場合（一般道を走行中の場合）における変速比モードの切り替えの制御を説明するための説明図である。
【００６２】
図５において、先ず、自動車専用道路か否かがＥＣＵ１００によって判定される（ステップＳ１０）。即ち、ハイブリッド車両１０が自動車専用道路（例えば高速道路）を走行中であるか否かがＥＣＵ１００によって判定される。言い換えれば、ハイブリッド車両１０の車速が所定の基準速度α（例えば時速８０ｋｍ）よりも高速な高車速であるか否かがＥＣＵ１００によって判定される。
【００６３】
自動車専用道路を走行中である（即ち、高車速である）と判定された場合には（ステップＳ１０：Ｙｅｓ）、所定勾配を超える降坂路が所定距離以上継続するか否かがＥＣＵ１００によって判定される（ステップＳ２０）。即ち、ハイブリッド車両１０の現在地点から、所定勾配（例えば−３％）を超える降坂路が所定距離（例えば１００ｍ）以上継続するか否かが、例えばハイブリッド車両１０に搭載されたカーナビゲーションシステムからの地形情報に基づいて、ＥＣＵ１００によって判定される。
【００６４】
ここで、ハイブリッド車両１０が自動車専用道路を走行中である場合（即ち、ハイブリッド車両１０の車速が高車速である場合）においても、運転者が、車速や前方走行車両との車間距離を調節するために、アクセル開度を変動させると、ビジーシフトが発生する可能性がある。しかし、ハイブリッド車両１０の車速が高車速であって、所定勾配（例えば−３％）を超える降坂路が所定距離（例えば１００ｍ）以上継続する場合には、例えばアクセル開度がゼロ（即ち、アクセルオフ）になったときでも、車速が殆ど或いは全く低下しないと考えられるので、ハイブリッド車両１０が平坦な道路を高車速で走行している場合と比べてビジーシフトが発生する可能性は低いと考えられる。
【００６５】
尚、ハイブリッド車両１０が平坦な道路を高車速（例えば８０ｋｍ）で走行中に、アクセルオフになったときには、車速は、例えば、毎秒、１ｋｍ／ｈずつ低下する。
【００６６】
尚、所定勾配及び所定距離は、ハイブリッド車両１０の走行中に、アクセル開度がゼロになったときでも、車速が殆ど或いは全く低下しないような値として、実験的、経験的、シミュレーション等により定めればよい。
【００６７】
所定勾配を超える降坂路が所定距離以上継続しないと判定された場合には（ステップＳ２０：Ｎｏ）、電気ＣＶＴ領域Ｑ１の「ロック→ＣＶＴ」の時間ヒステリシスを所定時間Ｔ１（例えば５〜１０秒間）に変更する（ステップＳ６０）。
【００６８】
ここで、図５及び図６において、電気ＣＶＴ領域Ｑ１の「ロック→ＣＶＴ」の時間ヒステリシスとは、第１モータジェネレータＭＧ１がロック状態である場合（即ち、変速比モードが固定変速比モードである場合）において、現在の運転動作点が電気ＣＶＴ領域Ｑ１に位置することが検出されたとき（言い換えれば、現在の運転動作点がＭＧ１ロック領域Ｒ１から電気ＣＶＴ領域Ｑ１に移動したことが検出されたとき）に、変速比モード制御部１１０が変速比モードを切り替えるに際し、その切替を禁止する時間である。よって、第１モータジェネレータＭＧ１がロック状態である場合において、現在の運転動作点が電気ＣＶＴ領域Ｑ１に位置することが検出されたときには、その検出された時点から切り替え前の変速比モード（即ち、固定変速比モード）が時間ヒステリシスだけ継続される。
【００６９】
同様に、電気ＣＶＴ領域Ｑ２（或いはＱ３）の「ロック→ＣＶＴ」の時間ヒステリシスとは、第１モータジェネレータＭＧ１がロック状態である場合において、現在の運転動作点が電気ＣＶＴ領域Ｑ２（或いはＱ３）に位置することが検出されたときに、変速比モード制御部１１０が変速比モードを切り替えるに際し、その切替を禁止する時間である。
【００７０】
本実施形態では、電気ＣＶＴ領域Ｑ１、Ｑ２及びＱ３の「ロック→ＣＶＴ」の時間ヒステリシスの初期値Ｉ２は、ゼロ（０秒）に設定されている。言い換えれば、初期状態では、電気ＣＶＴ領域Ｑ１、Ｑ２及びＱ３の「ロック→ＣＶＴ」の時間ヒステリシスは使用されない。
【００７１】
即ち、車速が高車速であって、所定勾配を超える降坂路が所定距離以上継続しないと判定された場合には（ステップＳ２０：Ｎｏ）、変速比モード制御部１１０は、変速比モードの固定変速比モードから無段変速比モードへの切り替えの際に、変速比モードの切り替えを時間ヒステリシスとして設定される所定時間Ｔ１（例えば５〜１０秒間、初期値Ｉ２より大きな値）禁止して、切り替え前の変速比モードである固定変速比モードを継続させる（ステップＳ６０）。よって、変速比モードの切り替えが頻繁になされるビジーシフトの発生を低減或いは防止できる。即ち、ハイブリッド車両１０の車速が高車速である場合に、変速比モードが固定変速比モードから無段変速比モードへ無駄に切り替わることを低減或いは防止でき、変速比モードを固定変速比モードに保持する時間を長くすることができる。よって、燃費を向上させることができる。
【００７２】
一方、所定勾配を超える降坂路が所定距離以上継続すると判定された場合には（ステップＳ２０：Ｙｅｓ）、「ロック→ＣＶＴ」の時間ヒステリシス及び「ＣＶＴ→ロック」の時間ヒステリシスはＥＣＵ１００の変速比モード制御部１１０によってそれぞれ初期値Ｉ１及びＩ２とされる（ステップＳ３０）。
【００７３】
ここで、「ロック→ＣＶＴ」の時間ヒステリシスは、上述した、電気ＣＶＴ領域Ｑ１の「ロック→ＣＶＴ」の時間ヒステリシス、電気ＣＶＴ領域Ｑ２の「ロック→ＣＶＴ」の時間ヒステリシス、及び電気ＣＶＴ領域Ｑ３の「ロック→ＣＶＴ」の時間ヒステリシスを意味する。本実施形態では、「ロック→ＣＶＴ」の時間ヒステリシスの初期値Ｉ２は、上述したように、ゼロ（０秒）に設定されている。
【００７４】
また、「ＣＶＴ→ロック」の時間ヒステリシスとは、第１モータジェネレータＭＧ１が非ロック状態である場合（即ち、変速比モードが無段変速比モードである場合）において、現在の運転動作点がロック領域Ｒ１に位置することが検出されたとき（言い換えれば、現在の運転動作点が電気ＣＶＴ領域Ｑ１、Ｑ２又はＱ３からＭＧ１ロック領域Ｑ１に移動したことが検出されたとき）に、変速比モード制御部１１０が変速比モードを切り替えるに際し、その切替を禁止する時間である。よって、第１モータジェネレータＭＧ１が非ロック状態である場合において、現在の運転動作点がＭＧ１ロック領域Ｒ１に位置することが検出されたときには、その検出された時点から切り替え前の変速比モード（即ち、無段変速比モード）が時間ヒステリシスだけ継続される。本実施形態では、「ＣＶＴ→ロック」の時間ヒステリシスの初期値Ｉ１は、１秒間に設定されている。
【００７５】
図５において、自動車専用道路を走行中でない（即ち、ハイブリッド車両１０の車速が所定の基準速度α（例えば時速８０ｋｍ）よりも低速な低車速である、言い換えれば、一般道を走行中である）と判定された場合には（ステップＳ１０：Ｙｅｓ）、ビジーシフトが発生するか否かがＥＣＵ１００のビジーシフト判定部１２０によって判定される（ステップＳ４０）。
【００７６】
ビジーシフトが発生しないと判定された場合には（ステップＳ４０：Ｎｏ）、「ロック→ＣＶＴ」の時間ヒステリシス及び「ＣＶＴ→ロック」の時間ヒステリシスはＥＣＵ１００の変速比モード制御部１１０によってそれぞれ初期値Ｉ２及びＩ１とされる（ステップＳ３０）。
【００７７】
図５及び図７において、ビジーシフトが発生すると判定された場合には（ステップＳ４０：Ｙｅｓ）、「ＣＶＴ→ロック」の時間ヒステリシスを所定時間Ｔ２（例えば５〜１０秒間、初期値Ｉ１よりも大きな値）に変更する（ステップＳ５０）。即ち、車速が低車速であって、ビジーシフトが発生すると判定された場合には（ステップＳ２０：Ｙｅｓ）、変速比モード制御部１１０は、変速比モードの無段変速比モードから固定変速比モードへの切り替えの際に、変速比モードの切り替えを時間ヒステリシスとして設定される所定時間Ｔ２（例えば５〜１０秒間）禁止して、切り替え前の変速比モードである無段変速比モードを継続させる（ステップＳ５０）。よって、変速比モードの切り替えが頻繁になされるビジーシフトの発生を低減或いは防止できる。即ち、ハイブリッド車両１０の車速が低車速である場合に、変速比モードが無段変速比モードから固定変速比モードへ無駄に切り替わることを低減或いは防止でき、変速比モードを無段変速比モードに保持する時間を初期状態よりも長くすることができる。従って、ドライバビリティを向上させることができる。尚、上述したように、本実施形態では、「ＣＶＴ→ロック」の時間ヒステリシスの初期値Ｉ１は、１秒間に設定されている。
【００７８】
ここで、上述した変速比モードの切り替えの制御において、本実施形態では特に、変速比モード制御部１１０は、変速比モードの無段変速比モードから固定変速比モードへの切り替え、及び、変速比モードの固定変速比モードから無段変速比モードへの切り替えのうちいずれか一方の切り替えをハイブリッド車両１０の車速に応じて選択し、該選択した一方の切り替えの際には、変速比モードの切り替えを所定時間禁止して、切り替え前の変速比モードを継続させている。即ち、変速比モード制御部１１０は、ハイブリッド車両１０の車速が高車速である場合には（ステップＳ１０：Ｙｅｓ）、時間ヒステリシスを変更すべき変速比モードの切り替えとして固定変速比モードから無段変速比モードへの切り替えを選択して、電気ＣＶＴ領域Ｑ１の「ロック→ＣＶＴ」の時間ヒステリシスを所定時間Ｔ１に変更し（ステップＳ６０）、ハイブリッド車両１０の車速が低車速である場合には（ステップＳ１０：Ｎｏ）、時間ヒステリシスを変更すべき変速比モードの切り替えとして無段変速比モードから固定変速比モードへの切り替えを選択して、「ＣＶＴ→ロック」の時間ヒステリシスを所定時間Ｔ２に変更する（ステップＳ５０）。つまり、ハイブリッド車両１０の車速に応じて選択した一方の切り替えの際の変速比モードの切り替えを、変更された時間ヒステリシスとしての所定時間Ｔ１或いはＴ２、禁止する。よって、仮に例えば車速によらず、変速比モードの切り替えの全てにおいて（即ち、変速比モードの固定変速比モードから無段変速比モードへの切り替え及び変速比モードの無段変速比モードから固定変速比モードへの切り替えの両方において）一律に、変速比モードの切り替えを所定時間禁止する場合と比較して、燃費を向上させることができる。
【００７９】
以上説明したように、本実施形態に係るハイブリッド車両の制御装置によれば、変速比モードの切り替えが頻繁になされるビジーシフトの発生を低減すると共に、燃費を向上させることが可能となる。
【００８０】
本発明は、上述した実施形態に限られるものではなく、請求の範囲及び明細書全体から読み取れる発明の要旨或いは思想に反しない範囲で適宜変更可能であり、そのような変更を伴うハイブリッド車両の制御装置もまた本発明の技術的範囲に含まれるものである。
【符号の説明】
【００８１】
１０…ハイブリッド車両、５０…駆動軸、１００…ＥＣＵ、１１０…変速比モード制御部、１２０…ビジーシフト判定部、２００…エンジン、３００…動力分割機構、４００…ロック機構、ＭＧ１…第１モータジェネレータ、ＭＧ２…第２モータジェネレータ
【図１】
2010254131.tif 000003
【図２】
2010254131.tif 000004
【図３】
2010254131.tif 000005
【図４】
2010254131.tif 000006
【図５】
2010254131.tif 000007
【図６】
2010254131.tif 000008
【図７】
2010254131.tif 000009